(57)【要約】【課題】ベッドから起き上がるときの初期動作、あるいは浴室やトイレにおいて立ち上がるときに手すりにつかまる前の初期動作を助けるためのアシストグリップを提供する。【解決手段】固定部に取り付けられる取付部（４）と、握り部（２）と、取付部（４）と握り部（２）とを接続する可撓性連接部（３）とからなるアシストグリップ（１）であって、可撓性連接部（３）は、適度の外力を加えることにより曲げることができるとともに、その曲げ状態を維持することができる構成とした。【選択図】  図１
2004337382.tif 000002
【特許請求の範囲】
【請求項１】
固定部に取り付けられる取付部と、握り部と、前記取付部と前記握り部とを接続する可撓性連接部とからなり、前記可撓性連接部は、適度の外力を加えることにより曲げることができるとともに、その曲げ状態を維持することができることを特徴とするアシストグリップ。
【請求項２】
前記可撓性連接部は、金属製パイプを含むことを特徴とする請求項１に記載のアシストグリップ。
【請求項３】
前記金属性パイプは、金属条を螺旋状に噛み合わせながら巻きつけることにより形成されているものであることを特徴とする請求項２に記載のアシストグリップ。
【請求項４】
前記可撓性連接部は、樹脂材料によって被覆されていることを特徴とする請求項１乃至３に記載のアシストグリップ。
【請求項５】
前記可撓性連接部の中を通して金属製ワイヤが設けられており、前記金属性ワイヤは一端部で前記握り部に取り付けられ、他端部で前記取付部に取り付けられていることを特徴とする請求項１乃至４に記載のアシストグリップ。
【請求項６】
前記金属性ワイヤが前記取付部を形成していることを特徴とする請求項５に記載のアシストグリップ。
【請求項７】
前記可撓性連接部は、針金に樹脂材料を被覆したものであることを特徴とする請求項１に記載のアシストグリップ。
【請求項８】
前記握り部は、ほぼ卵形状、ほぼ苺形状、ほぼ球形状、又は長丸形状をしていることを特徴とする請求項１乃至７に記載のアシストグリップ。
【請求項９】
前記握り部が複数個設けられていることを特徴とする請求項１乃至８に記載のアシストグリップ。
【請求項１０】
前記取付部が鉤形状又は環形状をしていることを特徴とする請求項１乃至９に記載のアシストグリップ。
【発明の詳細な説明】
【０００１】
【発明の属する技術分野】
本発明は、アシストグリップに関する。特に、本発明は、ベッド、浴室、トイレなどで使用されるアシストグリップに関する。
【０００２】
【従来の技術】
下半身麻痺や半身不随などの身体障害があるためにベッドに寝たきりになっている人がいる。このような人がベッドから起き上がるときには、特に腕の力を利用して起き上がる。たとえば、右半身不随の人は、左手を背中に回して左手を突っ張ることによりベッドから左半身を押し上げて起き上がる。したがって、かなり大きな腕力を必要とし、起き上がるのが苦痛であった。また、健康維持のために、寝たり起きたりする動作を繰り返す訓練をすることもあるが、このような訓練も患者の腕に対しては過度の負担となる場合がある。
【０００３】
また、身体障害者が便座に座った状態から立ち上がるときには手すりにつかまって立ち上がっていた。また、浴槽から出るときも手すりにつかまって立ち上がっていた。しかし、手すりにつかまるまでの立ち上がりの初期動作が困難な人もいた。
【０００４】
従来、自動車の乗り降りを助けるためのアシストグリップが知られている（例えば、特許文献１及び特許文献２参照。）。
しかしながら、ベッド、浴室、トイレなどにおいて、手すりにつかまる前の初期動作を助けるためのアシストグリップはなかった。
また、車椅子に座った人がドアを開ける際に使用するための回転する細長いドアハンドルが知られている（特許文献３参照）。しかし、このドアハンドルは、手を離すと重力の作用で下方に垂れ下がってしまい、手元に戻すのに苦労する。また、回転部分が露出しているので、髪の毛などを絡めてしまうおそれもある。
【０００５】
【特許文献１】
特開平１−１９７１３８号公報
【特許文献２】
特開平１１−１２９８０１号公報
【特許文献３】
米国特許出願公開第２００２／０１８４７３６号明細書
【０００６】
【発明が解決しようとする課題】
本発明は、ベッドから起き上がるときの初期動作を助けるためのアシストグリップ、浴室において浴槽から出る際に手すりにつかまる前の初期動作を助けるためのアシストグリップ、トイレの便座に座った状態から立ち上がって手すりにつかまる前の初期動作を助けるためのアシストグリップを提供することを目的とする。
【０００７】
【課題を解決するための手段】
前述した課題を解決する為に本発明では次のようなアシストグリップした。
すなわち、固定部に取り付けられる取付部（４）と、握り部（２）と、取付部（４）と握り部（２）とを接続する可撓性連接部（３）とからなるアシストグリップ（１）であって、可撓性連接部（３）は、適度の外力を加えることにより曲げることができるとともに、その曲げ状態を維持することができる構成とした。
【０００８】
可撓性連接部（３）は、金属製パイプ（７）を含んでいるとよい。
金属性パイプ（７）は、金属条を螺旋状に噛み合わせながら巻きつけることにより形成されているものであるとよい。
可撓性連接部（３）は、樹脂材料（８）によって被覆されているとよい。
可撓性連接部（３）の中を通して金属製ワイヤ（９）が設けられており、金属性ワイヤ（９）は一端部で握り部（２）に取り付けられ、他端部で取付部（４）に取り付けられているとよい。
金属性ワイヤ（９）が取付部（４）を形成しているとよい。
可撓性連接部（３）は、針金に樹脂材料を被覆したものであるとよい。
握り部は、ほぼ卵形状（２）、ほぼ苺形状（２２）、ほぼ球形状（３２ｂ，３２ｃ）、又は長丸形状をしているとよい。
握り部（３２ａ，３２ｂ，３２ｃ）が複数個設けられているとよい。
取付部が鉤形状（４４）又は環形状（５４）をしているとよい。
【０００９】
本発明のアシストグリップは、可撓性連接部に適度の外力を加えることにより曲げることができるとともに、その曲げ状態を可撓性連接部それ自体が自己で維持することができる構成とした。これによって、使用するときには、握り部を所望の位置に保持することができるとともに、アシストグリップが邪魔になるときには、折り曲げてあるいは伸ばして邪魔にならないところに押しやることができる。
【００１０】
本発明のアシストグリップは、ベッドから起き上がる際の初期動作、トイレや浴室で立ち上がる際の初期動作を助けるための介護用品として特に有効である。
本発明のアシストグリップは、手すりにつかまる前の体重移動の際の初期動作を助けるのに特に有効である。
本発明のアシストグリップは、可動部である可撓性連接部を樹脂材料により被覆することにより、可動部の隙間に髪の毛を挟んだり、雑菌が入ったりすることを防止できる。
握り部を連接部の途中に複数個設けることにより、アシストグリップを手繰り寄せ易くすることができる。
取付部を鉤形状にすることにより、アシストグリップが不要なときは容易に外すことができる。
【００１１】
【発明の実施の形態】
以下、本発明を、好ましい実施形態に基づき図面を参照しながら説明する。ただし、以下の実施形態に記載されている構成部品の寸法、材質、形状、その相対配置などは、特に特定的な記載がない限りは、この発明の範囲をそれらのみに限定する趣旨のものではない。
【００１２】
（アシストグリップの構成）
図１は、本発明のアシストグリップ１の正面図である。図２は、本発明のアシストグリップ１の断面図である。アシストグリップ１は、握り部２と、連接部３と、取付部４とからなる。
【００１３】
握り部２は、全体的にほぼ卵形状をしており、片手で握りやすい大きさにつくられている。握り部２は、二つの半分体２ａ、２ｂからなる。二つの半分体２ａ、２ｂは、二本のボルト５，６により締結されている。
連接部３は、フレキパイプ７と、フレキパイプ７の外側を被覆するシリコーンチューブ８とからなる。フレキパイプ７は、可撓性があり、図３に示すように、使用者が適度の外力を加えることにより曲げることができるとともに、その変形状態を連接部３それ自体で自己維持することができるものである。例えば、湯沸し器に使用されているフレキ出湯管などから形成されているとよい。本実施の形態においては、連接部３を株式会社昭和螺旋管製作所製のインターロック型フレキシブルチューブ（３／８Ｂ）で作製した。これは、金属条を螺旋状に噛み合わせながら巻きつけたものである。その材質は、銅、鉄、ステンレススチール等があり、本実施例においてはステンレススチールで作製した。
取付部４は、輪に形成した金属製ワイヤ９により構成されている。輪に形成した金属性ワイヤ９は、壁やベッドなどに設けられた金具に固定される。
【００１４】
図４は、握り部２の半分体２ｂの平面図である。半分体２ｂには、連接部３が装着される穴２ｃと、ワイヤ９を収容するための穴２ｄと、もう一つの半分体２ａの固定部２ｅを収容するための穴２ｆとが設けられている。ワイヤ９を収容するための穴２ｄには、ボス２ｇが設けられており、ボス２ｇの周りにワイヤ９が巻きつけられている。ワイヤ９は、かしめ金具１０などの緊締部材により端部が緊締されて、輪を形成している。これによって、ワイヤ９は握り部２に締結されている。ボス２ｇには、ボルト５を通すための穴２ｈが設けられている。
【００１５】
図５は、取付部４の緊締部材１１の拡大斜視図である。緊締部材１１は、緊締金具１２と、Ｕ字形状ボルト１３と、ナット１４とからなる。ワイヤ９を、例えばベッドの手すりに巻きつけて、ワイヤ９をその端部とともに緊締金具１２の溝１２ａに入れる。ワイヤ９をその端部とともにＵ字形状ボルト１３で挟む。Ｕ字形状ボルト１３のネジ部１３ａを緊締金具１２の不図示の貫通孔を通し、ナット１４で締め付ける。これによって、ワイヤ９を緊締部材１１により緊締する。
なお、緊締部材１１として、図１８に示すようなかしめ金具１１０を使用してもよい。かしめ金具１１０は、例えば、金属帯又は金属管でつくられているとよい。ワイヤ９の端部を重ね合わせた部分に金属帯を巻き付けて、あるいは金属管を通して、金属帯あるいは金属管を押しつぶし又は締め付けることによりワイヤ９を緊締することができる。
【００１６】
（ベッドに使用する場合）
図６は、本発明のアシストグリップ１をベッド１５の手すり１６に取り付けた実施例を示す図である。たとえば、右半身不随の被介護者Ｍがベッド１５に寝ているときは、アシストグリップ１が邪魔にならないように枕もとにおいておく。アシストグリップ１の連接部３は、使用者が適度の外力を加えることにより曲げることができるとともに、その変形状態を連接部３それ自体で自己維持することができる。したがって、枕もとの所望の位置にアシストグリップ１の握り部２を保持しておくことができる。
【００１７】
右半身不随の被介護者Ｍが自身でベッド１５から起き上がろうとするときには、図７に示すように、左手で握り部２をつかんで上体を右側へ引き起こす。その後、ベッド１５の縁や手すり１６につかまって起き上がる。このように本発明のアシストグリップ１を使用すれば、被介護者Ｍがベッド１５から起き上がるときにベッド１５の縁や手すり１６につかまる前の初期動作を助けることができる。
【００１８】
（壁に取り付ける場合）
本発明によるアシストグリップ１は、トイレや浴室の壁に取り付けて使用することもできる。一般に、トイレや浴室には体の不自由な人のために、手すりが設けられている。しかし、通常は便座や湯船の近くの一方の壁に手すりが設けられているので、片手で手すりにつかまって立ち上がることが多い。そこで、本発明のよるアシストグリップ１をトイレや浴室の壁に取り付けて、両手で握り部２につかまって立ち上がることができるようにする。
【００１９】
図８は、手すり１７の近くの壁１８に本発明によるアシストグリップ１を取り付けた状態を示す図である。アシストグリップ１の取付部４は、樹脂材料１９で被覆されている。図９は、取付部４を被覆している樹脂材料１９を取り除いたときの固定部分の正面図、図１０は、図９に示す固定部分の側面図である。壁１８には、ボビン２０が、ボルト２１により固定されている。図１１は、ボビン２０の斜視図である。ボビン２０は、二枚の円盤２０ａと、二枚の円盤２０ａの間をつなぐ円筒部２０ｂとからなる。ボビン２０を貫通して貫通穴２０ｃが設けられている。ボビン２０の一方の円盤２０ａを壁１８に当てて、貫通穴２０ｃを通してボルト２１を締め付けることにより、ボビン２０が壁１８に固定される。ボビン２０の円筒部２０ｂにアシストグリップ１のワイヤ９を巻きつけてワイヤ９の端部をワイヤ９に緊締部材１１により緊締する。これによって、アシストグリップ１を壁１８に固定することができる。アシストグリップの固定部は、樹脂材料１９などにより被覆する。
なお、ワイヤ９は、図１８に示すかしめ金具１１０により緊締してもよい。
【００２０】
図８に戻って、普通の常態では、健常者がトイレや浴室を使用する際にアシストグリップ１が邪魔にならないように、アシストグリップ１を壁１８に沿って鉛直にたれ下げておく。体の不自由な人がトイレや浴室を使用する際には、使用者が連接部３あるいは握り部２をつかんで適度の外力を加えることにより、図１２に示すように連接部３を曲げ、つかみやすい位置に握り部２を置く。連接部３は、その変形状態を連接部３それ自体で自己維持することができるので、握り部２を所望の位置に保持することができる。
使用者が立ち上がる際には、握り部２を両手でつかんで引くことにより立ち上がる。そして、近くの手すり１７につかまることができる。フレキパイプ７を通したワイヤ９を使用しているので、使用者が握り部２に全体重をかけてもアシストグリップ１が破断することはない。本発明のアシストグリップ１を使用すれば、体の不自由な人がトイレや浴室で立ち上がる際に、手すりにつかまる前の初期動作を助けることができる。
【００２１】
（握り部の変形例）
図１に示した握り部２は、全体的にほぼ卵形状をしている。本発明のアシストグリップの握り部は、卵形状や球形状に限らず、握りやすい形状であればよい。図１３は、握り部の変形例を示す図である。握り部２２は、全体的にほぼ苺形をしている。すなわち、握り部２２の連接部３に近い肩部２２ａは、ほぼ平らに近い丸みを帯びた肩形状をしており、握り部２２の先端部２２ｂは先細りの形状をしている。これは、使用者が必ずしも握り部２２をつかむわけではなく、連接部３をつかむこともあり、その場合に連接部３をつかんだ手が苺形状の握り部２２の肩部２２ａに掛かることにより安定してアシストグリップをつかむことができるようにするためである。
【００２２】
図１４は、複数個の握り部３２ａ，３２ｂ，３２ｃを設けたアシストグリップ３１を示す図である。図１４は、苺形状の握り部３２ａを連接部３の先端部に取り付け、連接部３の途中にほぼ球形状の握り部３２ｂ、３２ｃを二つ取り付けている。
このように複数の握り部３２ａ，３２ｂ，３２ｃをアシストグリップ３１に設けることにより、被介護者がベッドから起き上がるときにアシストグリップ３１を手繰り寄せることができる。これによって、被介護者がベッドから起き上がるときの初期動作をより容易に行うことができるようになる。また、体の不自由な人がトイレや浴室で立ち上がる際にも、アシストグリップ３１を手繰り寄せることができる。これによって、体の不自由な人が手すりにつかまる前の初期動作をより容易に行うことができるようになる。
【００２３】
（取付部の変形例）
図１５は、アシストグリップの取付部の変形例を示す図である。
図１５（ａ）は、鉤形状の取付部４４を示す図であり、図１５（ｂ）は、輪形状又は環形状の取付部５４を示す図である。鉤形状の取付部４４及び環形状の取付部５４は、それぞれ、アシストグリップの連接部３の一端部に取り付けられている。好ましくは、連接部３を通るワイヤ９に結合されているとよい。鉤形状の取付部４４及び環形状の取付部５４は、金属でつくられているとよい。
図１６は、ベッド又は壁に設けられた掛け金具を示す図である。図１６（ａ）は、鉤形状の掛け金具４５を示す図であり、図１６（ｂ）は、環形状の掛け金具５５を示す図である。
鉤形状の取付部４４を有するアシストグリップは、ベッド又は壁に設けられた鉤形状の掛け金具４５又は環形状の掛け金具５５に引っ掛けて使用することができる。また、環形状の取付部５４を有するアシストグリップは、ベッド又は壁に設けられた鉤形状の掛け金具４５に引っ掛けて使用することができる。
このように、鉤形状の取付部４４又は環形状の取付部５４を使用することにより、アシストグリップが不要なときに、ベッドや壁からアシストグリップを外しておくことができる。
なお、図１７に示すように、鉤形状の取付部６４の開いた部分６４ａを閉じるための外れ防止部材６５を設けてもよい。外れ防止部材６５は、支点６５ａを中心にして回動することができ、開いた部分６４ａを閉じる方向にばね部材（不図示）により付勢されている。外れ防止部材６５を設けることにより、鉤形状の取付部６４を壁に設けられた掛け金具に引っ掛けたときに、不用意に外れないようにすることができる。
【００２４】
【発明の効果】
以上の説明から明らかなように、本発明によれば、可撓性連接部に適度の外力を加えることにより曲げることができるとともに、その曲げ状態を可撓性連接部それ自体が自己で維持することができる。これによって、使用するときには、握り部を所望の位置に保持することができるとともに、アシストグリップが邪魔になるときには、曲げてあるいは伸ばして邪魔にならないところに押しやることができる。
【００２５】
本発明のアシストグリップは、ベッドから起き上がる際の初期動作、トイレや浴室で立ち上がる際の初期動作を助けることができる。
本発明のアシストグリップは、手すりにつかまる前の体重移動の際の初期動作を助けることができる。
本発明のアシストグリップは、可動部である可撓性連接部を樹脂材料により被覆することにより、可動部の隙間に髪の毛を挟んだり、雑菌が入ったりすることを防止できる。
握り部を連接部の途中に複数個設けることにより、アシストグリップを手繰り寄せ易くすることができる。
取付部を鉤形状にすることにより、アシストグリップが不要なときは容易に外すことができる。
【００２６】
なお、本実施の形態においては、フレキパイプ７をシリコーンチューブ８で被覆することにより連接部３を構成したが、連接部３はこの構成に限らず、例えば、金属製ワイヤ（針金）を樹脂被覆した棒状部材であってもよい。
また、本実施の形態においては、フレキパイプ７を被覆するためにシリコーンチューブ８を用いたが、本発明はこれに限らず、抗菌性樹脂材料によりフレキパイプ７を被覆してもよい。
また、握り部２は、樹脂材料で形成するとよい。さらに、握り部２は、抗菌性樹脂材料により形成してもよい。
【００２７】
本発明は、以上の実施形態に限定されるものではなく、その特徴事項から逸脱することなく、他のいろいろな形態で実施することができる。そのため、前述の実施の形態はあらゆる点で単なる例示にすぎず、限定的に解釈してはならない。本発明の範囲は、特許請求の範囲によって示すものであって、明細書本文には、何ら拘束されない。さらに、特許請求の範囲の均等範囲に属する変形や変更は、すべて本発明の範囲内のものである。
【図面の簡単な説明】
【図１】本発明のアシストグリップの正面図。
【図２】本発明のアシストグリップ１の断面図。
【図３】アシストグリップ１の連接部３を曲げた状態を示す図。
【図４】握り部２の半分体２ｂの平面図。
【図５】取付部４の緊締部材１１の拡大斜視図
【図６】本発明のアシストグリップ１をベッドの手すりに取り付けた実施例を示す図。
【図７】被介護者Ｍが自身でベッド１５から起き上がろうとするときに、左手で握り部２をつかんで上体を右側へ引き起こす様子を示す図。
【図８】手すりの近くの壁に本発明によるアシストグリップ１を取り付けた状態を示す図。
【図９】取付部４を被覆している樹脂材料１９を取り除いたときの固定部分の正面図。
【図１０】図９に示す固定部分の側面図。
【図１１】ボビン２０の斜視図。
【図１２】壁に取り付けたアシストグリップ１の連接部３を曲げたときの状態を示す図。
【図１３】握り部の変形例を示す図。
【図１４】複数個の握り部３２ａ，３２ｂ，３２ｃを設けたアシストグリップ３１を示す図。
【図１５】アシストグリップの取付部の変形例を示す図。
【図１６】ベッド又は壁に設けられた掛け金具を示す図。
【図１７】外れ防止部材６５を設けた鉤形状の取付部６４を示す図。
【図１８】ワイヤ９の緊締部材の別の実施形態を示す図である。
【符号の説明】
１      アシストグリップ
２，３２ａ，３２ｂ，３２ｃ      握り部
３      連接部
４，４４，５４      取付部
７      フレキパイプ
８      シリコーンチューブ
９      金属性ワイヤ
【図１】
2004337382.tif 000003
【図２】
2004337382.tif 000004
【図３】
2004337382.tif 000005
【図４】
2004337382.tif 000006
【図５】
2004337382.tif 000007
【図６】
2004337382.tif 000008
【図７】
2004337382.tif 000009
【図８】
2004337382.tif 000010
【図９】
2004337382.tif 000011
【図１０】
2004337382.tif 000012
【図１１】
2004337382.tif 000013
【図１２】
2004337382.tif 000014
【図１３】
2004337382.tif 000015
【図１４】
2004337382.tif 000016
【図１５】
2004337382.tif 000017
【図１６】
2004337382.tif 000018
【図１７】
2004337382.tif 000019
【図１８】
2004337382.tif 000020